(57)【要約】【課題】見付けの小さい下框に戸車と干渉することなくサブロックを取付けることができ、防犯性の向上が図れる開口部装置を提供する。【解決手段】建物の開口に設けられる上枠２ａ、下枠２ｂおよび左右の縦枠２ｃ，２ｄからなる枠体２と、該枠体２内に少なくとも一つが開閉移動自在に設けられる内外の障子３ａ，３ｂと、外障子３ｂの下框４ｂの室内面に取付けられ、内障子３ａを係止する係止部材１２を室内側に突出させて障子の開移動を規制するサブロック９とを備え、前記サブロック９には前記下框４ｂに取付けられる戸車１０との干渉を回避するための切欠部１１が設けられている。【選択図】          図４
2004169478.tif 000002
【特許請求の範囲】
【請求項１】
枠体内に少なくとも一つが開閉移動自在に設けられる内外の障子のうち外障子の下框の室内面に取付けられ、内障子を係止する係止部材を室内側に突出させて障子の開移動を規制するサブロックにおいて、前記サブロックは前記係止部材をその一端が突出可能なように回動自在に収容する横長のケース部を有し、前記下框に取付けられる戸車との干渉を回避すべく前記ケース部の一端側の厚さを他端側の厚さよりも薄く形成したことを特徴とするサブロック。
【請求項２】
建物の開口に設けられる上枠、下枠および左右の縦枠からなる枠体と、該枠体内に少なくとも一つが開閉移動自在に設けられる内外の障子と、外障子の下框の室内面に取付けられ、内障子を係止する係止部材を室内側に突出させて障子の開移動を規制するサブロックとを備え、前記サブロックは前記係止部材をその一端が突出可能なように回動自在に収容する横長のケース部を有し、前記下框に取付けられる戸車との干渉を回避すべく前記ケース部の一端側の厚さを他端側の厚さよりも薄く形成したことを特徴とする開口部装置。
【発明の詳細な説明】
【０００１】
【発明の属する技術分野】
本発明は、サブロック及び開口部装置に係り、特に見付けの小さい下框に戸車と干渉することなく取付可能としたサブロック及び開口部装置に関する。
【０００２】
【従来の技術】
開口部装置である例えば引違いサッシは、建物の開口に設けられる上枠、下枠および左右の縦枠からなる枠体と、該枠体内に開閉移動自在に設けられる内外の障子と、障子を閉鎖状態に施錠するメインロック（主錠）であるクレセント錠とを備えている。また、防犯性を高めるために、クレセント錠の他に、サブロック（補助錠）を備えたものも知られている。なお、サブロックの一例としては、例えば実開昭５６−８９８６５公報に記載されている。
【０００３】
サブロックは、外障子の室内面に取付けられ、ストッパー部を室内側に突出させることにより、外部から室内に不正に侵入しようとする者がガラスを割りクレセント錠を解錠して障子を開けようとしても、ストッパー部により内障子が係止されるため、障子を開けることができず、不正侵入を防止することが可能となる。
【０００４】
ところで、従来のサッシにおいては、排水性を考慮して下枠が室内外方向に断面階段状に形成されており、外障子の下框の見付け（上下幅）が大きかったので、図７に示すように下框４ｂに取付けられている戸車１０と干渉することなくその上方にサブロック９を配置することができた。
【０００５】
【特許文献１】
実開昭５６−８９８６５公報
【０００６】
【発明が解決しようとする課題】
しかしながら、下枠が室内外方向に略平面状に形成されており、外障子の下框４ｂの見付けｇが小さい場合には、図８の（ａ）ないし（ｂ）に示すように戸車１０の取付位置とサブロック９の取付位置とが部分的に重なり、戸車１０とサブロック９が干渉するため、下框４ｂにサブロック９を取付けることが困難で、防犯性の向上が図れなかった。なお、戸車とサブロックの干渉を避けるために、戸車をサブロックよりも内側（矢印Ａ方向）にずらす方法が考えられるが、そうすると障子の走行安定性が低下する問題がある。また、戸車とサブロックの干渉を避けるために、サブロックの厚さを薄くする提案がなされている（特開２００１−２６２９１１号公報）が、強度を確保するための特殊な構造を要する。
【０００７】
本発明は、前記事情を考慮してなされたもので、見付けの小さい下框に戸車と干渉することなくサブロックを取付けることができ、防犯性の向上が図れるサブロック及び開口部装置を提供することを目的とする。
【０００８】
【課題を解決するための手段】
本発明のうち、請求項１の発明は、枠体内に少なくとも一つが開閉移動自在に設けられる内外の障子のうち外障子の下框の室内面に取付けられ、内障子を係止する係止部材を室内側に突出させて障子の開移動を規制するサブロックにおいて、前記サブロックは前記係止部材をその一端が突出可能なように回動自在に収容する横長のケース部を有し、前記下框に取付けられる戸車との干渉を回避すべく前記ケース部の一端側の厚さを他端側の厚さよりも薄く形成したことを特徴とする。
【０００９】
請求項２の発明は、建物の開口に設けられる上枠、下枠および左右の縦枠からなる枠体と、該枠体内に少なくとも一つが開閉移動自在に設けられる内外の障子と、外障子の下框の室内面に取付けられ、内障子を係止する係止部材を室内側に突出させて障子の開移動を規制するサブロックとを備え、前記サブロックは前記係止部材をその一端が突出可能なように回動自在に収容する横長のケース部を有し、前記下框に取付けられる戸車との干渉を回避すべく前記ケース部の一端側の厚さを他端側の厚さよりも薄く形成したことを特徴とする。
【００１０】
【発明の実施の形態】
以下に、本発明の実施の形態を添付図面に基いて詳述する。図１は本発明の実施の形態を示す開口部装置の正面図、図２は図１の縦断面図、図３は図１の横断面図、図４は下框における戸車とサブロックの配置関係を示す図で、（ａ）は平面図、（ｂ）は側面図、（ｃ）は（ａ）のＣ−Ｃ矢視方向から見た正面図、図５はサブロックを示す図で、（ａ）は施錠状態の斜視図、（ｂ）は解錠状態の斜視図、図６はサブロックを示す図で、（ａ）は施錠状態の縦断面図、（ｂ）は同底面図、（ｃ）は同正面図である。
【００１１】
図１において、１は開口部装置として例示した引違いサッシで、このサッシ１は、建物の開口に設けられる上枠２ａ、下枠２ｂおよび左右の縦枠２ｃ，２ｄを組立ててなる枠体２と、この枠体２内に開閉自在に設けられる内外の障子３ａ，３ｂとを備えている。障子３ａ，３ｂは、上框４ａ、下框４ｂ及び左右の縦框４ｃ，４ｄを組立ててなる框体４内にガラスパネル５を装着して構成されている。内障子の召し合せ框には、内外の障子を閉鎖状態で施錠するためのクレセント錠が設けられている。図示例の枠体２を構成する上枠２ａ、下枠２ｂ及び左右の縦枠２ｃ，２ｄ、框体２を構成する上框２ａ、下框２ｂ及び左右の縦框２ｃ，２ｄは、例えばアルミニウム合金の押出形材からなっている。
【００１２】
前記下枠２ｂは、室内外方向に階段状に形成されておらず、略平面状に形成されている。下枠２ｂの上面部には内外の障子３ａ，３ｂを左右方向に移動自在に案内する内外のレール６ａ，６ｂや網戸７を左右方向に移動自在に案内する網戸用のレール８が突設されている。障子用の内外のレール６ａ，６ｂは、略同じ高さになっている。下枠２ｂが室内外方向に階段状であると、外障子３ｂの下框４ｂの見付け（上下幅）を大きくすることができるが、図示例のように下枠２ｂがフラット（略平面状）であるため、外障子４ｂの下框４ｂの見付けｇが内障子４ａの下框４ｂの見付けと揃うように小さくされている。
【００１３】
前記内外の障子３ａ，３ｂの下框４ｂには、その長手方向両端部に前記レール６ａ，６ｂ上を走行する戸車７がそれぞれ取付けられている。また、外障子３ｂの下框４ｂの召し合せ框４ｃ側端部の室内面には、障子３ａ，３ｂ閉鎖状態において内障子３ａを係止する係止部材１２を室内側に突出させて障子３ａ，３ｂの開移動を規制するサブロック９が取付けられている。この場合、前記サブロック９には、図４〜図６に示すように、前記下框４ｂに取付けられる戸車１０との干渉を回避するための切欠部１１が設けられている。
【００１４】
前記障子３ａ，３ｂの框体４は、上框４ａ，下框４ｂの両端部に縦框４ｃ，４ｄを組み付けた縦通し構造になっており、縦框４ｃ、４ｄの下端部には戸車１０を取付けることができないため、下框４ｂの長手方向両端部に戸車１０がそれぞれ取付けられている。なお、図４の（ａ），（ｂ）において、召し合せ框４ｃは図示省略されている。また、戸車１０は、高さ調節機構を有する周知の戸車ユニットからなっている。
【００１５】
前記サブロック９は、前記係止部材１２をその一端が突出可能なように回動自在に収容する横長のケース部１３を有し、前記下框４ｂに取付けられる戸車１０との干渉を回避すべく前記ケース部１３の一端側の室内面からの厚さｔｂが他端側の厚さｔａよりも薄く形成されている。ケース部１３は、図６の（ａ）にも示すように、長手方向略中間部から片側（左側）半分が厚さの厚い部分１３ａとされ、他の片側（右側）半分が厚さの薄い部分１３ｂとされている。厚さの厚い部分１３ｂの内部には係止部材１２の基部１２ｃが支軸１４を介して回動自在に軸支され、支軸１４を支点として係止部材１２の他端（先端部）１２ａを押し込むと、係止部材１２の一端（後端部）１２ｂが厚さの薄い部分から室内側に突出するようになっている。
【００１６】
このとき、係止部材１２は傾斜した状態となり、突出した後端部１２ｂで内障子３ａの召し合せ框４ｃの端部を係止して内外の障子３ａ，３ｂの開移動を規制する施錠状態となる。この状態で障子３ａ，３ｂを無理矢理開けようとした時に係止部材１２にかかる外力を受け止めるために、ケース部１３の厚さの厚い部分１３ａには係止部材１２の先端部１２ａを係止する第１の係止部１５と、係止部材１２の基部１２ｃに後端側（図の右側）に向って突設された被係止部１２ｄを係止する第２の係止部１６とが形成されている。
【００１７】
これら第１及び第２の係止部１５，１６は係止部材１２が斜めに傾斜した状態から外力で更に回動しないように回動を阻止するようになっている。すなわち、ケース部１３の厚さの厚い部分１３ａに係止部材１２にかかる外力を受け止める部分（第１の係止部１５及び第２の係止部１６）を配置することにより、ケース部１３の厚さの薄い部分１３ｂの形成ないし確保を可能にしている。
【００１８】
ケース部１３における厚さの薄い部分１３ｂは厚さの厚い部分１３ａの略半分の厚さになっている。係止部材１２は支軸１４近傍の基部１２ｃ以外は厚さが薄く形成されている。係止部材１２は、突出した他端部１２ｂを押し込むと、ケース部１３と平行になってケース部１３内に丁度収まり、ケース部１３から突出しないようになっている。前記ケース部１３及び係止部材１２は例えば硬質の合成樹脂製であり、支軸１４は例えば金属製である。
【００１９】
前記係止部材１２を図５の（ａ）または（ｂ）に示すように突出位置または収納位置に位置決め保持する保持手段として、係止部材１２の基部１２ｃには先端部１２ａと被係止部１２ｄの間に径方向に突出した凸部１７が設けられ、ケース部１３の厚さの厚い部分１３ａには第１の係止部１５と第２の係止部１６の間に前記凸部１７が係合する２つの凹部１８ａ，１８ｂを有する保持板１９が設けられている。この保持板１９はケース部１３の厚さの厚い部分１３ａの底板部２０から第１の係止部１５方向に向って舌辺状に延出して且つ前記凸部１７の移動軌跡に沿って曲面状に湾曲して形成されている。
【００２０】
保持板１９は、自らの弾性力（バネ力）で凸部１７に押し付けられており、係止部材１７の収納位置で凸部１７が一方の凹部１８ａに係合し、係止部材１２の突出位置で凸部１７が他方の凹部１８ｂに係合するようになっている。前記凸部１７及び凹部１８ａ，１８ｂは曲面状に形成されていることが好ましい。前記外障子３ｂの下框４ｂにおける召し合せ框４ｃ側端部の室内面にはサブロック９のケース部１３を嵌合装着するための取付穴２１が設けられ、この取付穴２１にケース部１３が嵌合装着されて取付けられている。
【００２１】
以上の構成からなるサッシ（開口部装置）１においては、外出或いは就寝する場合に、サッシ１の障子を閉鎖してクレセント錠２２を施錠すると共にサブロック９を施錠する。サブロック９の施錠は、係止部材１２の先端部１２ａを押し込むことによる支軸１４を支点としたてこ作用により係止部材１２の後端部１２ｂを室内側へ突出させれば良い。
【００２２】
前記サブロック９によれば、外部から室内に不正に侵入しようとする者がガラスパネル５を割りクレセント錠２２を開錠して障子３ａ，３ｂを開けようとしても、係止部材１２が内障子３ｂの召し合せ框４ｃの端部を突っ支い棒のように係止するため、障子３ａ，３ｂを開けることができず、不正侵入を防止することができ、防犯性の向上が図れる。サブロック９の施錠を解除（解錠）する場合には、係止部材１２の後端部１２ｂを押し込んでケース部１３内に収納すれば良く、簡単にサブロック９の施錠を解除することができる。
【００２３】
このように構成された前記サッシ１によれば、建物の開口に設けられる上枠２ａ、下枠２ｂおよび左右の縦枠２ｃ，２ｄからなる枠体２と、該枠体２内に少なくとも一つが開閉移動自在に設けられる内外の障子３ａ，３ｂと、外障子３ｂの下框４ｂの室内面に取付けられ、内障子３ａを係止する係止部材１２を室内側に突出させて障子３ａ，３ｂの開移動を規制するサブロック９とを備え、前記サブロック９は前記係止部材１２をその一端が突出可能なように回動自在に収容する横長のケース部１３を有し、このケース部１３には前記下框４ｂに取付けられる戸車１０との干渉を回避するための切欠部１１が設けられているため、見付けｇの小さい下框４ｂに戸車１０と干渉することなくサブロック９を取付けることができ、防犯性の向上が図れる。
【００２４】
換言すれば、前記サブロック９は前記係止部材１２をその一端が突出可能なように回動自在に収容する横長のケース部１３を有し、前記下框４ｂに取付けられる戸車１０との干渉を回避すべく前記ケース部１３の一端側の厚さｔｂを他端側の厚さｔａよりも薄く形成しているため、見付けｇの小さい下框４ｂに戸車１０と干渉することなくサブロック９を取付けることができ、防犯性の向上が図れる。
【００２５】
以上、本発明の実施の形態を図面により詳述してきたが、本発明は前記実施の形態に限定されるものではなく、本発明の要旨を逸脱しない範囲での種々の設計変更等が可能である。例えば、障子は、少なくとも一つが開閉移動自在であれば良く、他方が固定ないし嵌め殺しであっても良い。また、障子は、三枚建て、四枚建てであっても良い。本発明の開口部装置としては、引違いサッシに限定されず、片引きサッシあっても良く、また、上げ下げ窓であっても良い。上枠、下枠、左右の縦枠、上框、下框及び左右の縦框は、金属製例えばアルミニウム合金製の室外側形材と室内側形材を合成樹脂製のブリッジ材を介して結合した断熱構造であっても良く、或いは金属製の室外側形材と合成樹脂製の室内側形材とを結合した複合断熱構造であっても良い。
【００２６】
【発明の効果】
以上要するに本発明によれ、次のような効果を奏することができる。
【００２７】
（１）請求項１の発明によれば、枠体内に少なくとも一つが開閉移動自在に設けられる内外の障子のうち外障子の下框の室内面に取付けられ、内障子を係止する係止部材を室内側に突出させて障子の開移動を規制するサブロックにおいて、前記サブロックは前記係止部材をその一端が突出可能なように回動自在に収容する横長のケース部を有し、前記下框に取付けられる戸車との干渉を回避すべく前記ケース部の一端側の厚さを他端側の厚さよりも薄く形成しているため、見付けの小さい下框に戸車と干渉することなくサブロックを取付けることができ、防犯性の向上が図れる。
【００２８】
（２）請求項２の発明によれば、建物の開口に設けられる上枠、下枠および左右の縦枠からなる枠体と、該枠体内に少なくとも一つが開閉移動自在に設けられる内外の障子と、外障子の下框の室内面に取付けられ、内障子を係止する係止部材を室内側に突出させて障子の開移動を規制するサブロックとを備え、前記サブロックは前記係止部材をその一端が突出可能なように回動自在に収容する横長のケース部を有し、前記下框に取付けられる戸車との干渉を回避すべく前記ケース部の一端側の厚さを他端側の厚さよりも薄く形成しているため、見付けの小さい下框に戸車と干渉することなくサブロックを取付けることができ、防犯性の向上が図れる。
【図面の簡単な説明】
【図１】本発明の実施の形態を示す開口部装置の正面図である。
【図２】図１の縦断面図である。
【図３】図１の横断面図である。
【図４】下框における戸車とサブロックの配置関係を示す図で、（ａ）は平面図、（ｂ）は側面図、（ｃ）は（ａ）のＣ−Ｃ矢視方向から見た正面図である。
【図５】サブロックを示す図で、（ａ）は施錠状態の斜視図、（ｂ）は解錠状態の斜視図である。
【図６】サブロックを示す図で、（ａ）は施錠状態の縦断面図、（ｂ）は同底面図、（ｃ）は同正面図である。
【図７】従来の開口部装置の下框における戸車とサブロックの配置関係を示す正面図である。
【図８】下框の見付けを小さくした場合おける戸車とサブロックの配置上の問題点を説明するための図で、（ａ）は正面図、（ｂ）は平面図である。
【符号の説明】
１  サッシ（開口部装置）
２  枠体
２ａ  上枠
２ｂ  下枠
２ｃ、２ｄ  縦枠
３ａ，３ｂ  障子
４  框体
９  サブロック
１０  戸車
１１  切欠部
１２  係止部材
１３  ケース部
【図１】
2004169478.tif 000003
【図２】
2004169478.tif 000004
【図３】
2004169478.tif 000005
【図４】
2004169478.tif 000006
【図５】
2004169478.tif 000007
【図６】
2004169478.tif 000008
【図７】
2004169478.tif 000009
【図８】
2004169478.tif 000010